(57)【要約】【課題】マルチプロジェクションシステムにおいて、設定された電源オン順番通りに主電源をオンにする。【解決手段】マルチプロジェクションシステムにおける画像投影装置１１０であって、システムを構成する画像投影装置１１０の識別情報と、主電源オン順番と、が関連付けられた登録情報を記憶する記憶部５３と、登録情報を他の画像投影装置との間で共有するとともに、主電源オン指示を送受信する通信部５２と、主電源オン順番が最初である場合は、自装置の主電源のオン操作に基づいて主電源をオンにし、主電源オン順番が最初でない場合は、他の画像投影装置から受信する主電源オン指示に基づいて主電源をオンにするとともに、主電源をオンにした後、他に主電源をオンとすべき画像投影装置がある場合は、他の画像投影装置へ主電源オン指示を送信させる電源制御部５１と、を備える。【選択図】図２
2015155990.tif 000002
【特許請求の範囲】
【請求項１】
複数の画像投影装置が異なる領域に画像を投影して、これらの画像を組み合わせた投影画像を投影する画像投影システムにおける画像投影装置であって、
該画像投影システムを構成する画像投影装置の識別情報と、設定された主電源オン順番と、が関連付けられた登録情報を記憶する記憶手段と、
前記識別情報に基づいて、該画像投影システムにおける他の画像投影装置と通信するものであって、前記登録情報を他の画像投影装置との間で共有するとともに、受信した画像投影装置に主電源をオンさせる主電源オン指示を送受信する通信手段と、
前記主電源オン順番が最初である場合は、自装置の主電源のオン操作に基づいて主電源をオンにし、前記主電源オン順番が最初でない場合は、他の画像投影装置から受信する前記主電源オン指示に基づいて主電源をオンにするとともに、
主電源をオンにした後、他に主電源をオンとすべき画像投影装置がある場合は、前記登録情報に基づいて、他の画像投影装置へ前記主電源オン指示を送信させる制御手段と、
を備えることを特徴とする画像投影装置。
【請求項２】
複数の画像投影装置が異なる領域に画像を投影して、これらの画像を組み合わせた投影画像を投影する画像投影システムにおける画像投影装置であって、
該画像投影システムを構成する画像投影装置の識別情報と、設定された主電源オン順番と、が関連付けられた登録情報を記憶する記憶手段と、
前記識別情報に基づいて、該画像投影システムにおける他の画像投影装置と通信するものであって、前記登録情報を他の画像投影装置との間で共有するとともに、受信した画像投影装置に主電源をオンさせる主電源オン指示を送受信する通信手段と、
前記主電源オン順番が最初である場合は、自装置の主電源のオン操作または他の画像投影装置から受信する前記主電源オン指示に基づいて主電源をオンにし、
前記主電源オン順番が最初でない場合は、前記主電源オン順番が最初である画像投影装置がすでに主電源オンであるか否かを判断して、
すでに主電源がオンである場合は、他の画像投影装置から受信する前記主電源オン指示に基づいて主電源をオンにし、
まだ主電源がオンでない場合は、前記主電源オン順番が最初である画像投影装置へ前記主電源オン指示を送信させた後に、他の画像投影装置から受信する前記主電源オン指示に基づいて主電源をオンにする制御手段と、
を備えることを特徴とする画像投影装置。
【請求項３】
請求項１に記載の画像投影装置を複数備えてなり、
前記主電源オン順番が最初である画像投影装置の主電源がオン操作されることで、該画像投影システムのすべての画像投影装置が前記主電源オン順番に従って主電源がオンとなることを特徴とする画像投影システム。
【請求項４】
請求項２に記載の画像投影装置を複数備えてなり、
該画像投影システムのいずれかの画像投影装置の主電源がオン操作されることで、該画像投影システムのすべての画像投影装置が前記主電源オン順番に従って主電源がオンとなることを特徴とする画像投影システム。
【請求項５】
前記登録情報における前記主電源オン順番の設定は、
設定時において、該画像投影システムにおける画像投影装置の主電源がオンにされた順番に従って設定されることを特徴とする請求項３または４のいずれかに記載の画像投影システム。
【請求項６】
該画像投影システムのすべての画像投影装置は、自動主電源オン設定のオンオフを設定可能とする設定手段を備え、
前記登録情報には前記自動主電源オン設定が登録され、
前記自動主電源オン設定がオフに設定された画像投影装置については、前記制御手段による主電源オン制御がなされないことを特徴とする請求項３から５までのいずれかに記載の画像投影システム。
【請求項７】
複数の画像投影装置が異なる領域に画像を投影して、これらの画像を組み合わせた投影画像を投影する画像投影システムにおける画像投影装置の制御方法であって、
該画像投影システムを構成する画像投影装置の識別情報と、設定された主電源オン順番と、が関連付けられた登録情報を記憶する記憶処理と、
前記識別情報に基づいて、該画像投影システムにおける他の画像投影装置と通信するものであって、前記登録情報を他の画像投影装置との間で共有するとともに、受信した画像投影装置に主電源をオンさせる主電源オン指示を送受信する通信処理と、
前記主電源オン順番が最初である場合は、自装置の主電源のオン操作に基づいて主電源をオンにし、前記主電源オン順番が最初でない場合は、他の画像投影装置から受信する前記主電源オン指示に基づいて主電源をオンにするとともに、
主電源をオンにした後、他に主電源をオンとすべき画像投影装置がある場合は、前記登録情報に基づいて、他の画像投影装置へ前記主電源オン指示を送信させる制御処理と、
を行うようにしたことを特徴とする画像投影装置の制御方法。
【請求項８】
複数の画像投影装置が異なる領域に画像を投影して、これらの画像を組み合わせた投影画像を投影する画像投影システムにおける画像投影装置の制御方法であって、
該画像投影システムを構成する画像投影装置の識別情報と、設定された主電源オン順番と、が関連付けられた登録情報を記憶する記憶処理と、
前記識別情報に基づいて、該画像投影システムにおける他の画像投影装置と通信するものであって、前記登録情報を他の画像投影装置との間で共有するとともに、受信した画像投影装置に主電源をオンさせる主電源オン指示を送受信する通信処理と、
前記主電源オン順番が最初である場合は、自装置の主電源のオン操作または他の画像投影装置から受信する前記主電源オン指示に基づいて主電源をオンにし、
前記主電源オン順番が最初でない場合は、前記主電源オン順番が最初である画像投影装置がすでに主電源オンであるか否かを判断して、
すでに主電源がオンである場合は、他の画像投影装置から受信する前記主電源オン指示に基づいて主電源をオンにし、
まだ主電源がオンでない場合は、前記主電源オン順番が最初である画像投影装置へ前記主電源オン指示を送信させた後に、他の画像投影装置から受信する前記主電源オン指示に基づいて主電源をオンにする制御処理と、
を行うようにしたことを特徴とする画像投影装置の制御方法。
【発明の詳細な説明】
【技術分野】
【０００１】
本発明は、画像投影装置、画像投影システム、および画像投影装置の制御方法に関する。
【背景技術】
【０００２】
画像投影装置として広く知られたプロジェクタは、近来、液晶パネルの高解像化、光源ランプの高効率化に伴う明るさの改善、低価格化などが進んでいる。例えば、ＤＭＤ（Digital  Micro-mirror  Device）を利用した小型軽量な画像投影装置が普及し、オフィスや学校のみならず家庭においても広くこれら画像投影装置が利用されるようになってきている。
【０００３】
また、２台以上の画像投影装置から１のスクリーンなどの被投影面の互いに異なる投影領域に画像を投影し、投影された画像を組み合わせることで単一の画像投影を行うマルチプロジェクションシステム（マルチスクリーン投影）が知られている。マルチプロジェクションシステムでは、単一画像に対応する画像信号を複数に分割して各画像投影装置に供給し、各画像投影装置に単一画像を構成する画像を表示させるものである。マルチプロジェクションシステムによれば、大画面で高精細な画像を表示することが可能となる。
【０００４】
マルチプロジェクションシステムの場合、１つの映像供給装置（パーソナルコンピュータなど）からの画像を複数の画像投影装置で投影するため、ＨＤＭＩ（登録商標）（High-Definition  Multimedia  Interface）分配器、Ｄｉｓｐｌａｙ  Ｐｏｒｔ分配器などの分配器を介して、各画像投影装置へ画像を送る構成となっている。
【０００５】
このようなマルチプロジェクションシステムでは、システムを構成する各画像投影装置の設置位置は異なるため、これを考慮するととともに、隣接する投影画像同士が自然に重ね合わさるように、２以上の投影画像の重複領域で画像データの輝度等が補正（キャリブレーション）され、補正されたデータが各画像投影装置に送られる。
【０００６】
また、マルチプロジェクションシステムは、主に、大規模なスクリーンへの投影が必要な際に使用される。例えば、展示会、見本市などで使用されることが多い。このような展示会などでは、数日間に亘り使用され、その間に電源のオフ、オンが幾度もなされる。
【０００７】
このようなマルチプロジェクションシステムにおいて、複数の画像投影装置の電源（主電源）をオンにする順番を間違えてしまうと、主電源オンの順番に従って決定される分配器によるナンバリングが、上記のキャリブレーションを実施した補正データのナンバリングと異なってしまい、電源を再度順番通りに入れ直すか、キャリブレーションを再度実行しなければならず、余分な作業、時間が発生し、煩雑となっていた。
【０００８】
これに関し、特許文献１には、複数のプロジェクタの各プロジェクタ間を通信ケーブルで互いに接続するとともに、前段に接続されたプロジェクタの制御回路より通信ケーブルを介して供給される制御信号を監視し、該制御信号に基づいて次段のプロジェクタの電源を立ち上げるようにそれぞれ制御可能なマルチ画面表示装置において、複数のプロジェクタ毎にＯＲ回路を設け、このＯＲ回路を用いて各プロジェクタの電源回路の出力と、前段に接続されたプロジェクタの制御回路からの制御信号とのＯＲ出力を得、該ＯＲ出力を次段のプロジェクタの制御回路の制御信号として電源の立上げ制御に用いるように構成したマルチ画面表示装置が開示されている。
【発明の概要】
【発明が解決しようとする課題】
【０００９】
特許文献１の技術では、複数のプロジェクタを自動で主電源オンすることが可能となっている。しかしながら、特許文献１の技術は、システムを構成する各プロジェクタにプロジェクタ相互間のＩＮ（入力端子）／ＯＵＴ（出力端子）の通信手段を設けて、各プロジェクタをデイジーチェーン接続に構成する必要があり、他の接続形態での画像投影装置で構成されるシステムには適用することはできなかった。例えば、複数台の画像投影装置が中継装置（スイッチングハブなど）にＬＡＮケーブルで並列に接続されたシステムには適用することができなかった。また、特許文献１の技術では、電源オンの順番は、通信ケーブルの接続順によって決まり、キャリブレーション時の順番通りなど、所望の順番に電源オンさせることはできなかった。
【００１０】
そこで本発明は、マルチプロジェクションシステムにおいて、設定された主電源オン順番通りに主電源をオンにすることができる画像投影装置を提供することを目的とする。
【課題を解決するための手段】
【００１１】
かかる目的を達成するため、本発明に係る画像投影装置は、複数の画像投影装置が異なる領域に画像を投影して、これらの画像を組み合わせた投影画像を投影する画像投影システムにおける画像投影装置であって、該画像投影システムを構成する画像投影装置の識別情報と、設定された主電源オン順番と、が関連付けられた登録情報を記憶する記憶手段と、前記識別情報に基づいて、該画像投影システムにおける他の画像投影装置と通信するものであって、前記登録情報を他の画像投影装置との間で共有するとともに、受信した画像投影装置に主電源をオンさせる主電源オン指示を送受信する通信手段と、前記主電源オン順番が最初である場合は、自装置の主電源のオン操作に基づいて主電源をオンにし、前記主電源オン順番が最初でない場合は、他の画像投影装置から受信する前記主電源オン指示に基づいて主電源をオンにするとともに、主電源をオンにした後、他に主電源をオンとすべき画像投影装置がある場合は、前記登録情報に基づいて、他の画像投影装置へ前記主電源オン指示を送信させる制御手段と、を備えるものである。
【発明の効果】
【００１２】
本発明によれば、マルチプロジェクションシステムにおいて、設定された主電源オン順番通りに主電源をオンにすることができる。
【図面の簡単な説明】
【００１３】
【図１】画像投影装置の構成を示すブロック図である。
【図２】画像投影システムの一例を示す概略構成図である。
【図３】画像投影システムの通信に係るブロック図である。
【図４】主電源オン順番の登録処理のフローチャートである。
【図５】登録情報の初期値の説明図である。
【図６】自動主電源オン設定の設定画面の一例である。
【図７】主電源オン順番の登録処理実行後の登録情報の説明図である。
【図８】主電源オン処理のフローチャート（１）である。
【図９】主電源オン処理のフローチャート（２）である。
【発明を実施するための形態】
【００１４】
以下、本発明に係る構成を図１から図９に示す実施の形態に基づいて詳細に説明する。
【００１５】
［第１の実施形態］
本実施形態に係る画像投影装置（画像投影装置１１０）は、複数の画像投影装置が異なる領域に画像を投影して、これらの画像を組み合わせた投影画像を投影する画像投影システム（画像投影システム１００）における画像投影装置であって、該画像投影システムを構成する画像投影装置の識別情報と、設定された主電源オン順番と、が関連付けられた登録情報を記憶する記憶手段（記憶部５３）と、識別情報に基づいて、該画像投影システムにおける他の画像投影装置と通信するものであって、登録情報を他の画像投影装置との間で共有するとともに、受信した画像投影装置に主電源をオンさせる主電源オン指示を送受信する通信手段（通信部５２）と、主電源オン順番が最初である場合は、自装置の主電源のオン操作に基づいて主電源をオンにし、主電源オン順番が最初でない場合は、他の画像投影装置から受信する主電源オン指示に基づいて主電源をオンにするとともに、主電源をオンにした後、他に主電源をオンとすべき画像投影装置がある場合は、登録情報に基づいて、他の画像投影装置へ主電源オン指示を送信させる制御手段（電源制御部５１）と、を備えるものである。なお、括弧内は実施形態での符号、適用例を示す。
【００１６】
また、本実施形態に係る画像投影システム（画像投影システム１００）は、上記画像投影装置を複数備えてなり、主電源オン順番が最初である画像投影装置の主電源がオン操作されることで、該画像投影システムのすべての画像投影装置が主電源オン順番に従って主電源がオンとなるものである。
【００１７】
（画像投影装置の構成）
図１は、本実施形態に係る画像投影装置１１０の構成を示すブロック図である。
【００１８】
映像入力端子部２０は、画像投影装置１１０に画像を供給する映像供給装置に接続される端子部である。映像供給装置にケーブルにて接続されるＨＤＭＩ端子、ビデオ端子、ＲＧＢ端子などを備えている。
【００１９】
映像音声処理部２１は、入力された映像信号をＲＧＢのデジタル映像データに変換し、主制御部１０に転送する。また、映像入力端子部２０、主制御部１０から入力された音声データをＤ／Ａ変換してスピーカーなどの音声出力手段である音声出力ユニット２２に出力する。
【００２０】
主制御部１０は、メインプロセッサであるＣＰＵ（Central  Processing  Unit）１１と、制御プログラム等を記憶したＲＯＭ（Read  Only  Memory）１２と、各処理におけるデータを一時的に格納しておくメモリデバイス（例えば、ＳＤＲＡＭ（Synchronous  Dynamic  Random  Access  Memory）等）１３と、電源ＯＦＦ時にも設定情報等を記録しておくデータ保持メモリデバイスであるＮＶＲＡＭ（Non  Volatile  RAM）１４と、を備えた制御手段である。
【００２１】
主制御部１０は、映像音声処理部２１より転送されるＲＧＢ映像データを表示すべく、ランプ駆動部３１および光学制御部３０を制御する。ランプ駆動部３１は、主制御部１０からの制御に基づいて、光源としてのランプ３２を制御する。また、光源としてＬＥＤやレーザーなどを備えていても良い。
【００２２】
また、光学制御部３０は、主制御部１０からの制御に基づいて、光学ユニット３３を制御する。光学ユニット３３は、液晶ライトバルブやカラーホイール、ＤＭＤ（Digital  Micromirror  Device）などを備えるとともに、画像、映像をスクリーン１７０に表示するための映像光を反射するミラー（反射光学系）、拡大／縮小するレンズ（投影光学系）を備えている。また、光学制御部３０では、液晶ライトバルブ、カラーホイール、ＤＭＤ、反射光学系、投影光学系の駆動を制御する。
【００２３】
操作制御部２５は、複数のキーを有するキーボードと、状態を表示するＬＥＤ等を備えている。キーボードには、画像投影装置１１０の電源をＯＮ／ＯＦＦする電源キー、各種設定を行うメニューキー、↓キー、↑キー、←キー、→キー、決定キー、入力信号の切替を行うインプットキー等が設けられている。なお、各種設定、入力切替時の映像データは、主制御部１０によるＯＳＤ処理により形成される。
【００２４】
また、遠隔操作手段としてのリモコン２６には、操作制御部２５と同じ機能を有する電源キー、メニューキー、↓キー、↑キー、←キー、→キー、決定キー、及び各映像入力端子を切り替えるキー、数字入力の０〜９キー等が設けられ、各キーが押されると各キーに合ったコードを赤外線データで送信する。また、操作制御部２５は、リモコン２６からの信号を受信すると、主制御部１０へ通知する。
【００２５】
主電源部４１は、電源制御部５１からの通知に基づいて、主電源のオン／オフを実行し、主電源オンの場合に、上記各制御部、ユニットへの電源供給を行う。
【００２６】
副電源部４０は、画像投影装置１１０にＡＣ電源が入力された際に、電源制御部５１、通信部５２、記憶部５３、および操作制御部２５への電源供給を行う。ＡＣ電源の入力は、例えば、コンセントによる商用電源への接続である。
【００２７】
電源制御部５１は、本体の電源キーまたはリモコン２６からの電源オンの通知を受け、主電源部４１へ主電源オン／オフを通知する。電源制御部５１は、例えば、マイクロコンピュータ、ＡＳＩＣ（Application  Specific  Integrated  Circuit）などで構成されている。また、後述する主電源オン順番の登録処理および主電源オン処理を実行する制御手段として機能する。
【００２８】
通信部５２は、画像投影システムを構成する他の画像投影装置１１０との各種通信を行うインタフェースであり、後述する登録情報、主電源オン指示などの送受信を行う。通信インタフェースは、例えば、ＬＡＮ（Local  Area  Network）、無線ＬＡＮなどがある。
【００２９】
記憶部５３は、電源制御部５１により制御され、通信部５２から受信した登録情報（詳細は後述）等が登録される。記憶部５３は、不揮発性のフラッシュメモリ、ＥＥＰＲＯＭ（Electrically  Erasable  Programmable  ROM）などで構成される。
【００３０】
（画像投影システムの構成）
図２は、複数台の画像投影装置を使用したマルチプロジェクションシステム（画像投影システム１００）の概略構成図である。また、図３は、画像投影システムにおける各画像投影装置の通信制御に係る部分を示すブロック図である。
【００３１】
画像投影システム１００は、３台の画像投影装置（プロジェクタ）１１０ａ，１１０ｂ，１１０ｃ（特に区別しないときは画像投影装置１１０という）と、映像供給装置１２０とを含んで構成されており、画像投影装置１１０と映像供給装置１２０とは、分配器１４０を介して、ケーブル１３０によって接続される。また、スクリーンに画像投影装置１１０ａ，１１０ｂ，１１０ｃから投影画像ＰＩ１，ＰＩ２，ＰＩ３が投影されている様子を示している。なお、ケーブル１３０は例えばＨＤＭＩケーブルであり、分配器１４０は例えばＨＤＭＩ分配器である。
【００３２】
画像投影装置１１０は、映像供給装置１２０が提供する画像をスクリーン等の被投影面に投影する画像出力装置である。また、画像投影装置１１０は、映像供給装置１２０が提供する画像と共に、ユーザが種々の操作を指定可能なメニュー画面等のＯＳＤ画面（重畳画像）を投影する。なお、ＯＳＤ画面は、映像供給装置１２０から画像が提供されない際にも投影可能である。
【００３３】
画像投影装置１１０は、映像信号を入力するインタフェースとして、Ｄ−Ｓｕｂコネクタ等のＶＧＡ（Video  Graphics  Array）入力端子やＨＤＭＩ端子、Ｓ−ＶＩＤＥＯ端子、ＲＣＡ端子等のビデオ入力端子を備えており、これらの端子に接続されたケーブル１３０を介して映像供給装置１２０から映像信号を受信する。
【００３４】
映像供給装置１２０は、画像投影装置１１０が投影すべき画像を提供する装置である。映像供給装置１２０は、映像信号を出力するインタフェースを備えており、映像供給装置１２０の表示画像を形成する映像信号を所定の転送レート（例えば、３０ｆｐｓ（frame  per  second）〜６０ｆｐｓ）で画像投影装置１１０に送信する。
【００３５】
映像供給装置１２０も同様に、映像信号を出力するインタフェースとしてＶＧＡ出力端子やＨＤＭＩ端子、Ｓ−ＶＩＤＥＯ端子、ＲＣＡ端子等のビデオ出力端子を備えており、これらの端子に接続されたケーブル１３０を介して画像投影装置１１０に送信することができる。
【００３６】
映像供給装置１２０としては、例えば、ノート型ＰＣ（情報処理装置）を用いることができるが、デスクトップ型ＰＣやタブレット型ＰＣ、ＰＤＡ等の映像信号を供給可能な情報処理装置を採用することができる。
【００３７】
マルチプロジェクションシステムでは、画像投影装置１１０ａは投影画像ＰＩ１、画像投影装置１１０ｂは投影画像ＰＩ２、画像投影装置１１０ｃは投影画像ＰＩ３を、それぞれ投影する。３つの投影画像ＰＩ１，ＰＩ２，ＰＩ３を合わせて１つの投影画像を形成している。
【００３８】
ここで、領域ＢＲ１は投影画像ＰＩ１とＰＩ２の重畳領域を示しており、２つの投影画像ＰＩ１とＰＩ２を自然に重ね合わさるよう輝度制御される（キャリブレーション）。また、領域ＢＲ２も同様に投影画像ＰＩ２とＰＩ３との重畳領域を示している。
【００３９】
この重畳領域を輝度制御するキャリブレーションを行って、画像投影システム１００における各画像投影装置がいずれの画像投影装置であるか（１１０ａ〜１１０ｃのいずれであるか）をナンバリングする（補正データのナンバリング）。
【００４０】
また、画像投影システム１００における各画像投影装置１１０ａ，１１０ｂ，１１０ｃの各通信部５２ａ，５２ｂ，５２ｃは、図３に示すように、ルーター、ハブなどの中継装置１５０とＬＡＮケーブル１６０で接続されており、通信可能となっている。
【００４１】
（主電源オン順番の登録処理）
図４は、本実施形態に係る画像投影システムにおける画像投影装置が実行する主電源オン順番の登録処理のフローチャートである。
【００４２】
画像投影システム１００では、先ず、主電源オン順番の登録処理を実行する。この主電源オン順番の登録処理は、ユーザが画像投影システム１００における各画像投影装置１１０を、設定したい電源オン順番（例えば、補正データのナンバリング順）に従って、順番に画像投影装置１１０の主電源をオンしていくとともに、主電源をオンした画像投影装置１１０について自動主電源オン設定（Ｓ１０８：Ｙｅｓ）をすることでなされるものである。
【００４３】
各画像投影装置１１０にＡＣ電源が入力されると、副電源部４０により、電源制御部５１、通信部５２、記憶部５３、操作制御部２５への電源供給がなされる。
【００４４】
この状態において、電源制御部５１は、記憶部５３に登録された登録情報（詳細は後述）を呼び出す（Ｓ１０１）。記憶部５３に記憶されている登録情報において、自機ＩＰアドレスが自動主電源オン設定（後述する）がされているかどうかを判断する（Ｓ１０２）。ここで、自動主電源オン設定がされている（自動主電源設定＝「１」）場合は（Ｓ１０２：Ｙｅｓ）、既に電源オン順番の設定がされているため、主電源オン処理（図８、詳細は後述する）に移行する。
【００４５】
これに対し、自動主電源オン設定がされていない（自動主電源設定＝「０」）場合は（Ｓ１０２：Ｎｏ）、主電源オン順番「Ｎ」をＮ＝０としてクリアする（Ｓ１０３）。なお、図５は、登録情報の初期値の例である。登録情報は、主電源オン順番「Ｎ」、ＩＰアドレス、自動主電源オン設定を有する情報であり、各画像投影装置１１０の記憶部５３に登録される。なお、初期値では、自動主電源オン設定が「０」である。
【００４６】
次いで、電源制御部５１は、通信部５２を制御して、中継装置１５０を介して、他の画像投影装置１１０との通信を開始する（Ｓ１０４）。
【００４７】
次いで、電源制御部５１は、自機の操作制御部２５からの電源キーの操作（本体キーまたはリモコン２６の電源キー操作）による主電源オンであるかどうかを判断する（Ｓ１０５）。
【００４８】
自機の主電源オンである場合（Ｓ１０５：Ｙｅｓ）、通信部５２を制御して、他の画像投影装置１１０と通信し、登録情報（順番「Ｎ」、ＩＰアドレス、自動主電源オン設定）を読み込む（Ｓ１０６）。なお、本実施形態では、識別情報としてＩＰアドレスを用いているがこれに限られるものではなく、ＭＡＣアドレス等の他の固有の情報を用いるようにしても良い。
【００４９】
ここで、主電源が立ち上がった順番を記憶するために、Ｎ＝Ｎ＋１番目として順番「Ｎ」と、自機ＩＰアドレスと、自動主電源オン設定「０」と、を記憶部５３の登録情報に登録し、かつ、通信部５２を制御して他の画像投影装置１１０と通信し、他の画像投影装置１１０の記憶部５３にも登録し、情報共有する(Ｓ１０７)。
【００５０】
次に、ユーザにより自動主電源オンの設定がなされるかどうかを主制御部１０より判断する（Ｓ１０８）。自動主電源オン設定は、例えば、自動主電源オン設定のための所定のキー操作によりなされる。例えば、図６に示すような設定画面を投影または本体の操作パネル等に表示させて、「する」、「しない」を選択させるものである。
【００５１】
ユーザにより自動主電源オンが設定されなければ（Ｓ１０８：Ｎｏ）、主制御部１０は、ユーザにより主電源オフ操作がされたかどうかを判断し（Ｓ１１３）、オフ操作がなされれば（Ｓ１１３：Ｙｅｓ）、主制御部１０より電源制御部５１に通知して、電源制御部５１は主電源オフ処理を行う。主電源オフ操作がなされなければ、操作を待つ状態となる（Ｓ１０８へ戻る）。
【００５２】
ユーザにより自動主電源オンが設定される場合（Ｓ１０８：Ｙｅｓ）、設定手段としての主制御部１０は、図６に示すような自動主電源オン設定の設定画面を表示させる（Ｓ１０９）。
【００５３】
次いで、主制御部１０は、ユーザが、設定画面から自動主電源オン設定をする（自動主電源オン＝「１」）にしたかどうかを判断する（Ｓ１１０）。
【００５４】
ユーザに自動主電源オン設定が「する」に設定されると（Ｓ１１０：Ｙｅｓ）、自動主電源オン設定（＝「１」）と、他の登録情報（自機の順番「Ｎ」とＩＰアドレス）を自機の記憶部５３に登録するとともに、通信部５２を制御して他の画像投影装置１１０と通信し、他の画像投影装置１１０の記憶部５３にも登録し、情報共有する（Ｓ１１１）。
【００５５】
また、ユーザに自動主電源オン設定が「しない」に設定された場合（Ｓ１１０：Ｎｏ）も同様に、自動主電源オン設定（＝「０」）と、他の登録情報（自機の順番「Ｎ」とＩＰアドレス）を自機の記憶部５３に登録するとともに、通信部５２を制御して他の画像投影装置１１０と通信し、他の画像投影装置１１０の記憶部５３にも登録し、情報共有する（Ｓ１１２）。
【００５６】
次いで、マルチスクリーン投影のためのキャリブレーションが完了し、主制御部１０は、ユーザによる主電源オフ操作がされたかどうかを判断する（Ｓ１１３）。なお、キャリブレーションは、主電源オンからオフまでの間の任意のタイミングで実施されれば良い。主電源オフ操作がなされれば（Ｓ１１３：Ｙｅｓ）、主制御部１０より電源制御部５１に通知して、電源制御部５１は主電源オフ処理を行う。主電源オフ操作があるまでは、操作を待つ状態となる（Ｓ１０８へ戻る）。
【００５７】
以上の処理を画像投影システム１００の各画像投影装置１１０が順に実行することで、図７に示すように、各画像投影装置１１０についての（１）主電源オン順番「Ｎ」、（２）ＩＰアドレス、（３）自動主電源オン設定のオン／オフ、の情報を有する登録情報が作成され、画像投影システム１００内のすべての画像投影装置１１０の記憶部５３に共有して記憶されることとなる。
【００５８】
（主電源オン処理）
上述の主電源オン順番の登録処理により主電源オン順番を設定した後、主電源オン処理を実行する。この主電源オン処理では、主電源オン順番の登録処理が終了して、主電源オン順番が設定されて画像投影装置の主電源が一旦オフにされた後、ユーザが、主電源オン順番が最初の画像投影装置の主電源をオンにする操作を行うだけで、設定された順番通りに画像投影システム１００内の他の画像投影装置を主電源オン順番に沿って順番に起動させものである。
【００５９】
なお、主電源オン順番が最初の画像投影装置とは、記憶部５３に登録された登録情報において、自動主電源オン設定が「１」であり、かつ、順番「Ｎ」が最も小さい画像投影装置である（図７の例では、Ｎ＝２の装置）。
【００６０】
図８は、本実施形態に係る画像投影システムにおける画像投影装置が実行する主電源オン処理のフローチャートである。
【００６１】
先ず、画像投影装置１１０の電源制御部５１は、画像投影システム１００において実際に主電源オンが実行する順番を示す値である主電源オン実施順番「Ｍ」をＭ＝１として、記憶部５３に登録する（Ｓ２０１）。そして、通信部５２を制御して他の画像投影装置１１０と通信し、他の画像投影装置１１０の記憶部５３にも電源オンする順番Ｍを記憶させて、情報共有する（Ｓ２０２）。
【００６２】
次いで、他の画像投影装置１１０から主電源オン指示を受信したかどうかを判断する（Ｓ２０３）。他の画像投影装置１１０から主電源オン指示を受信していない場合（Ｓ２０３：Ｎｏ）、電源制御部５１は、自機の操作制御部２５からの電源キー等の操作による主電源オンかどうかを判断する（Ｓ２０４）。
【００６３】
自機の操作制御部２５からの主電源オンでなければ（Ｓ２０４：Ｎｏ）、他の画像投影装置１１０から主電源オン指示の受信判断へ戻る（Ｓ２０３へ戻る）。一方、自機の操作制御部２５からの主電源オンであれば（Ｓ２０４：Ｙｅｓ）、自機の主電源オン順番が最初かどうかを登録情報に基づいて判断する（Ｓ２０５）。
【００６４】
自機の主電源オン順番が最初でなければ（Ｓ２０５：Ｎｏ）、他の画像投影装置１１０から主電源オン指示の受信判断へ戻る（Ｓ２０３へ戻る）。一方、自機の主電源オン順番が最初であれば（Ｓ２０５：Ｙｅｓ）、電源制御部５１は、主電源部４１を制御して、主電源オンさせる（Ｓ２０６）。これにより、主電源部４１から各部、各ユニットへ電源が供給されて、画像投影装置１１０が起動する。
【００６５】
次いで、次の順番Ｍの画像投影装置１１０を主電源オンさせるために、主電源オン実施順番「Ｍ」をインクリメントする（Ｓ２０７）。
【００６６】
次いで、インクリメントした主電源オン実施順番「Ｍ」と記憶部５３に登録された登録情報のＮの最大値を比較する（Ｓ２０８）。ここで、Ｍ＞Ｎの場合（Ｓ２０８：Ｙｅｓ）は、すべての画像投影装置１１０の主電源がオンされているため、処理を終了する。
【００６７】
一方、Ｍ＞Ｎでない場合（Ｓ２０８：Ｎｏ）は、他にまだ主電源オンする画像投影装置１１０がある可能性がある。このため、Ｍの値を他の画像投影装置１１０と共有し、Ｍ番目の自動主電源オン設定が「１」に設定されているかどうかを判断する（Ｓ２０９）。
【００６８】
Ｍ番目の自動主電源オン設定が「１」の場合は（Ｓ２０９：Ｙｅｓ）、Ｍ番目のＩＰアドレスの画像投影装置１１０（すなわち、登録情報において、自動主電源オン設定が「１」であって、次の順番「Ｎ」である装置となる）に対して、通信部５２を制御して主電源オン指示を行う（Ｓ２１０）。主電源オン指示を受信した画像投影装置１１０は、主電源オンを行う。
【００６９】
一方、Ｍ番目の自動主電源オン設定が「０」の場合は（Ｓ２０９：Ｎｏ）、自動主電源オンしないと判断し、Ｓ２０７に戻り、次の順番に進める。（１-５７）以下同様にＭ＞Ｎになるまで（Ｓ２０８：Ｙｅｓ）、実行され、自動主電源オン設定が「１」の画像投影装置１１０を順番に電源オンしていく。
【００７０】
以上説明した本実施形態に係る画像投影システムによれば、マルチプロジェクションシステムを構成する画像投影装置において、ユーザは、主電源オン順番が最初に設定された画像投影装置の主電源をオンにする操作を行うだけで、設定した主電源オン順番（所望の電源オン順番、例えば、補正データのキャリブレーション順番）通りに主電源をオンにすることができる。したがって、電源の入れ直しや、キャリブレーションの再実行などが必要となるケースをなくし、無駄な操作を防いで、ユーザの操作性の向上を図ることができる。
【００７１】
［第２の実施形態］
以下、本発明に係る画像投影装置の他の実施形態について説明する。なお、上記実施形態と同様の点についての説明は適宜省略する。
【００７２】
第２の実施形態に係る画像投影装置（画像投影装置１１０）は、複数の画像投影装置が異なる領域に画像を投影して、これらの画像を組み合わせた投影画像を投影する画像投影システム（画像投影システム１００）における画像投影装置であって、該画像投影システムを構成する画像投影装置の識別情報と、設定された主電源オン順番と、が関連付けられた登録情報を記憶する記憶手段（記憶部５３）と、識別情報に基づいて、該画像投影システムにおける他の画像投影装置と通信するものであって、登録情報を他の画像投影装置との間で共有するとともに、受信した画像投影装置に主電源をオンさせる主電源オン指示を送受信する通信手段（通信部５２）と、主電源オン順番が最初である場合は、自装置の主電源のオン操作または他の画像投影装置から受信する主電源オン指示に基づいて主電源をオンにし、主電源オン順番が最初でない場合は、主電源オン順番が最初である画像投影装置がすでに主電源オンであるか否かを判断して、すでに主電源がオンである場合は、他の画像投影装置から受信する主電源オン指示に基づいて主電源をオンにし、まだ主電源がオンでない場合は、主電源オン順番が最初である画像投影装置へ主電源オン指示を送信させた後に、他の画像投影装置から受信する主電源オン指示に基づいて主電源をオンにする制御手段（電源制御部５１）と、を備えるものである。
【００７３】
また、本実施形態に係る画像投影システム（画像投影システム１００）は、上記画像投影装置を複数備えてなり、該画像投影システムのいずれかの画像投影装置の主電源がオン操作されることで、該画像投影システムのすべての画像投影装置が主電源オン順番に従って主電源がオンとなるものである。
【００７４】
すなわち、第１の実施形態では、主電源オン処理において、主電源オン順番が最初である画像投影装置の主電源をオンすることで、マルチプロジェクションシステムにおいて自動主電源オン設定がされた他の画像投影装置が順番に起動する例について説明した。第１の実施形態では、主電源オン順番が最初である画像投影装置以外の主電源がオンされた場合は、その画像投影装置は、主電源オン順番が最初である画像投影装置の主電源がオンされた後に、主電源オン指示を受けるまで主電源オンのままの状態（待機状態）となるものである。
【００７５】
これに対し、第２の実施形態では、マルチプロジェクションシステムにおいて、システム内の画像投影装置のうちいずれか一つの画像投影装置の主電源オン操作がされれば、設定された主電源オン順番に従って、システム内の画像投影装置の主電源をオンしてくものである。
【００７６】
図９は、第２の実施形態に係る画像投影システムにおける画像投影装置が実行する主電源オン処理のフローチャートである。
【００７７】
先ず、画像投影装置１１０の電源制御部５１は、主電源オン実施順番「Ｍ」をＭ＝１とするとともに、主電源オン順番が最初の画像投影装置１１０が主電源オンしているかどうかどうかを判断する値「Ｓ」を、Ｓ＝０としてクリアして、記憶部５３に登録する（Ｓ３０１）。なお、Ｓ＝０の場合は、主電源オン順番が最初の画像投影装置１１０の主電源は、まだオンしておらず、Ｓ＝１の場合は、主電源オン順番が最初の画像投影装置１１０の主電源がオンしていることを示す。
【００７８】
そして、通信部５２を制御して他の画像投影装置１１０と通信し、他の画像投影装置１１０の記憶部５３にも電源オンする順番Ｍ，判断値Ｓを記憶させて、情報共有する（Ｓ３０２）。
【００７９】
次いで、他の画像投影装置１１０から主電源オン指示を受信したかどうかを判断する（Ｓ３０３）。他の画像投影装置１１０から主電源オン指示を受信していない場合（Ｓ３０３：Ｎｏ）、電源制御部５１は、自機の操作制御部２５からの電源キー等の操作による主電源オンかどうかを判断する（Ｓ３０４）。
【００８０】
自機の操作制御部２５からの主電源オンでなければ（Ｓ３０４：Ｎｏ）、他の画像投影装置１１０から主電源オン指示の受信判断へ戻る（Ｓ３０３へ戻る）。一方、自機の操作制御部２５からの主電源オンであれば（Ｓ３０４：Ｙｅｓ）、自機の主電源オン順番が最初かどうかを登録情報に基づいて判断する（Ｓ３０５）。
【００８１】
自機の主電源オン順番が最初でなければ（Ｓ３０５：Ｎｏ）、主電源オン順番が最初の画像投影装置１１０が主電源オンしているかを判断する（Ｓ３０７）。
【００８２】
すなわち、Ｓ＝１の場合（Ｓ３０７：Ｙｅｓ）、主電源オン順番が最初の画像投影装置１１０の主電源は、オンしていると判断でき、他の画像投影装置１１０から主電源オン指示の受信判断へ戻る（Ｓ３０３へ戻る）。
【００８３】
一方、Ｓ＝０の場合（Ｓ３０７：Ｎｏ）、主電源オン順番が最初の画像投影装置１１０の主電源は、まだオンしていない（すなわち、主電源オン順番が最初でない画像投影装置の主電源オンの操作がされた）と判断でき、Ｓ３０８へ移行する。
【００８４】
なお、自機の主電源オン順番が最初であれば（Ｓ３０５：Ｙｅｓ）、電源制御部５１は、主電源部４１を制御して、主電源オンさせる（Ｓ３０６）。これにより、主電源部４１から各部、各ユニットへ電源が供給されて、画像投影装置が起動する。
【００８５】
次いで、次の順番Ｍの画像投影装置１１０を主電源オンさせるために、主電源オン実施順番「Ｍ」をインクリメントする（Ｓ３０８）。
【００８６】
次いで、インクリメントした主電源オン実施順番「Ｍ」と記憶部５３に登録された登録情報のＮの最大値を比較する（Ｓ３０９）。ここで、Ｍ＞Ｎの場合（Ｓ３０９：Ｙｅｓ）は、すべての画像投影装置の主電源がオンされているため、処理を終了する。
【００８７】
一方、Ｍ＞Ｎでない場合（Ｓ３０９：Ｎｏ）は、他にまだ主電源オンする画像投影装置１１０があるといえる。このため、Ｍの値を他の画像投影装置１１０と共有し、Ｍ番目の自動主電源オン設定が「１」に設定されているかどうかを判断する（Ｓ３１０）。
【００８８】
Ｍ番目の自動主電源オン設定が「１」の場合は（Ｓ３１０：Ｙｅｓ）、Ｍ番目のＩＰアドレスに対して、通信部５２を制御して主電源オン指示を行う（Ｓ３１２）。主電源オン指示を受信した画像投影装置１１０は、主電源オンを行う。また、最初の画像投影装置１１０の場合は、記憶部５３にＳ＝１として登録し、他の画像投影装置１１０の記憶部５３にもＳを記憶させて、情報共有する（Ｓ３１１）。
【００８９】
一方、Ｍ番目の自動主電源オン設定が「０」の場合は（Ｓ３１０：Ｎｏ）、自動主電源オンしないと判断し、Ｓ３０８に戻り、次の順番に進める。以下、同様にＭ＞Ｎになるまで（Ｓ３０９：Ｙｅｓ）、実行され、自動主電源オン設定が「１」の画像投影装置１１０を順番に電源オンしていく。
【００９０】
以上説明した本実施形態に係る画像投影システムによれば、ユーザが設定された１番目の順番の画像投影装置の主電源オン操作でなくとも、いずれの画像投影装置の主電源のオン操作をした場合においても、設定された順番通りに画像投影システムを構成する画像投影装置の主電源を順番にオンにしていくことができる。したがって、例えば、ユーザは、最も近くにある装置の主電源オン操作をすればよく、ユーザの操作を簡易なものとすることができる。
【００９１】
尚、上述の実施形態は本発明の好適な実施の例ではあるがこれに限定されるものではなく、本発明の要旨を逸脱しない範囲において種々変形実施可能である。
【００９２】
なお、電源制御部５１は、例えば、ＡＳＩＣで実行されるソフトウェア（制御プログラム）を画像投影装置１１０で実行させることで構成できる。
【符号の説明】
【００９３】
１０  主制御部
１１  ＣＰＵ
１２  ＲＯＭ
１３  ＳＤＲＡＭ
１４  ＮＶＲＡＭ
２０  映像入力端子部
２１  映像音声処理部
２２  音声出力ユニット
２５，２５ａ，２５ｂ，２５ｃ  操作制御部
２６  リモコン
３０  光学制御部
３１  ランプ駆動部
３２  ランプ
３３  光学ユニット
４０，４０ａ，４０ｂ，４０ｃ  副電源部
４１，４１ａ，４１ｂ，４１ｃ  主電源部
５１，５１ａ，５１ｂ，５１ｃ  電源制御部
５２，５２ａ，５２ｂ，５２ｃ  通信部
５３，５３ａ，５３ｂ，５３ｃ  記憶部
１００  画像投影システム（マルチプロジェクションシステム）
１１０，１１０ａ〜１１０ｃ  画像投影装置（プロジェクタ）
１２０  映像供給装置
１３０  ケーブル
１４０  分配器
１５０  中継装置
１６０  ＬＡＮケーブル
１７０  スクリーン
【先行技術文献】
【特許文献】
【００９４】
【特許文献１】特開平１１−２５２４８３号公報
【図１】
2015155990.tif 000003
【図３】
2015155990.tif 000004
【図４】
2015155990.tif 000005
【図５】
2015155990.tif 000006
【図６】
2015155990.tif 000007
【図７】
2015155990.tif 000008
【図８】
2015155990.tif 000009
【図９】
2015155990.tif 000010
【図２】
2015155990.tif 000011